(57)【特許請求の範囲】
【請求項１】
第１抵抗器〜第６抵抗器を有する抵抗器群と、
少なくとも第１回転位置〜第４回転位置の回転位置設定が可能なロータリースイッチを有する操作部とを備えた負荷試験装置であって、
前記第１抵抗器の一方の端子と、前記第２抵抗器の一方の端子と、前記第３抵抗器の一方の端子は、接続され、
前記第１抵抗器の他方の端子と、前記第４抵抗器の一方の端子とは、直列と並列の切り替えが可能な状態で接続され、
前記第２抵抗器の他方の端子と、前記第５抵抗器の一方の端子とは、直列と並列の切り替えが可能な状態で接続され、
前記第３抵抗器の他方の端子と、前記第６抵抗器の一方の端子とは、直列と並列の切り替えが可能な状態で接続され、
前記負荷試験装置に第１三相交流発電機が接続され、前記ロータリースイッチの回転位置を前記第１回転位置に合わせた場合には、前記第１三相交流発電機のＲ相からの電流が、並列に接続された前記第１抵抗器と前記第４抵抗器に流れうる状態にされ、前記第１三相交流発電機のＳ相からの電流が、並列に接続された前記第２抵抗器と前記第５抵抗器に流れうる状態にされ、前記第１三相交流発電機のＴ相からの電流が、並列に接続された前記第３抵抗器と前記第６抵抗器に流れうる状態にされ、
前記負荷試験装置に前記第１三相交流発電機よりも高電圧の第２三相交流発電機が接続され、前記ロータリースイッチの回転位置を前記第２回転位置に合わせた場合には、前記第２三相交流発電機のＲ相からの電流が、直列に接続された前記第１抵抗器と前記第４抵抗器に流れうる状態にされ、前記第２三相交流発電機のＳ相からの電流が、直列に接続された前記第２抵抗器と前記第５抵抗器に流れうる状態にされ、前記第２三相交流発電機のＴ相からの電流が、直列に接続された前記第３抵抗器と前記第６抵抗器に流れうる状態にされ、
前記負荷試験装置に、第１直流電源若しくは第１単相交流発電機が接続され、前記ロータリースイッチの回転位置を前記第３回転位置に合わせた場合には、前記第１直流電源若しくは前記第１単相交流発電機からの電流が、並列に接続された前記第１抵抗器〜前記第６抵抗器に流れうる状態にされ、
前記負荷試験装置に、前記第１直流電源よりも高電圧の第２直流電源若しくは前記第１単相交流発電機よりも高電圧の第２単相交流発電機が接続され、前記ロータリースイッチの回転位置を前記第４回転位置に合わせた場合には、前記第１抵抗器と前記第４抵抗器が直列に接続され、前記第２抵抗器と前記第５抵抗器が直列に接続され、前記第３抵抗器と前記第６抵抗器が直列に接続され、前記第１抵抗器〜前記第３抵抗器が並列に接続された状態で、前記第２直流電源若しくは前記第２単相交流発電機からの電流が、前記第１抵抗器〜前記第６抵抗器に流れうる状態にされることを特徴とする負荷試験装置。
【請求項２】
前記ロータリースイッチの回転位置に連動してオンオフ制御される第１短絡スイッチ〜第３短絡スイッチを更に備え、
前記ロータリースイッチの回転位置を前記第１回転位置若しくは前記第４回転位置に合わせた場合には、前記第１短絡スイッチを介して、前記第４抵抗器〜前記第６抵抗器の他方の端子が接続された状態にされ、
前記ロータリースイッチの回転位置を前記第３回転位置に合わせた場合には、前記第２短絡スイッチを介して、前記第１抵抗器〜前記第３抵抗器の他方の端子と前記第４抵抗器〜前記第６抵抗器の一方の端子が接続された状態にされ、前記第３短絡スイッチを介して、前記第１抵抗器〜前記第３抵抗器の一方の端子と前記第４抵抗器〜前記第６抵抗器の他方の端子が接続された状態にされることを特徴とする請求項１に記載の負荷試験装置。
【請求項３】
前記第１三相交流発電機のＲ相と接続するための第１Ｕ相端子、前記第１三相交流発電機のＳ相と接続するための第１Ｖ相端子、前記第１三相交流発電機のＴ相と接続するための第１Ｗ相端子、前記第２三相交流発電機のＲ相と接続するための第２Ｕ相端子、前記第２三相交流発電機のＳ相と接続するための第２Ｖ相端子、前記第２三相交流発電機のＴ相と接続するための第２Ｗ相端子、前記第１直流電源や前記第２直流電源や前記第１単相交流発電機や前記第２単相交流発電機の一方の端子と接続するための接続端子が設けられた端子部を更に備え、
前記第１Ｕ相端子は、前記第１抵抗器の他方の端子や前記第４抵抗器の一方の端子と接続され、
前記第１Ｖ相端子は、前記第２抵抗器の他方の端子や前記第５抵抗器の一方の端子と接続され、
前記第１Ｗ相端子は、前記第３抵抗器の他方の端子や前記第６抵抗器の一方の端子と接続され、
前記第２Ｕ相端子は、前記第４抵抗器の他方の端子と接続され、
前記第２Ｖ相端子は、前記第５抵抗器の他方の端子と接続され、
前記第２Ｗ相端子は、前記第６抵抗器の他方の端子と接続され、
前記接続端子は、前記第１抵抗器〜前記第３抵抗器の一方の端子と接続されることを特徴とする請求項１に記載の負荷試験装置。
【請求項４】
前記端子部は、前記第１Ｕ相端子、前記第１Ｖ相端子、前記第１Ｗ相端子、前記第２Ｕ相端子、前記第２Ｖ相端子、前記第２Ｗ相端子、前記接続端子の近傍に、前記負荷試験装置を使った試験対象電源に対応して使用する端子を説明する表記を含む表記部を有することを特徴とする請求項３に記載の負荷試験装置。
【請求項５】
前記端子部は、前記第１Ｕ相端子、前記第１Ｖ相端子、前記第１Ｗ相端子、前記第２Ｕ相端子、前記第２Ｖ相端子、前記第２Ｗ相端子、前記接続端子の近傍に、前記ロータリースイッチの回転位置に対応して点灯する点灯部を有することを特徴とする請求項３に記載の負荷試験装置。
【請求項６】
前記ロータリースイッチの回転位置に連動してオンオフ制御される第１短絡スイッチ〜第３短絡スイッチを更に備え、
前記ロータリースイッチの回転位置を前記第１回転位置若しくは前記第４回転位置に合わせた場合には、前記第１短絡スイッチを介して、前記第４抵抗器〜前記第６抵抗器の他方の端子が接続された状態にされ、
前記ロータリースイッチの回転位置を前記第３回転位置に合わせた場合には、前記第２短絡スイッチを介して、前記第１抵抗器〜前記第３抵抗器の他方の端子と前記第４抵抗器〜前記第６抵抗器の一方の端子が接続された状態にされ、前記第３短絡スイッチを介して、前記第１抵抗器〜前記第３抵抗器の一方の端子と前記第４抵抗器〜前記第６抵抗器の他方の端子が接続された状態にされ、
前記第１Ｕ相端子や前記第１Ｖ相端子や前記第１Ｗ相端子と第２短絡スイッチの間、前記第２Ｕ相端子や前記第２Ｖ相端子や前記第２Ｗ相端子と前記第１短絡スイッチや前記第３短絡スイッチの間、及び前記接続端子と前記第３短絡スイッチの間に、前記ロータリースイッチの回転位置に対応して、オンオフ状態が変化するオンオフスイッチが設けられることを特徴とする請求項３に記載の負荷試験装置。
【請求項７】
前記第１三相交流発電機や前記第２三相交流発電機のＲ相と接続するための第３Ｕ相端子、前記第１三相交流発電機や前記第２三相交流発電機のＳ相と接続するための第３Ｖ相端子、前記第１三相交流発電機や前記第２三相交流発電機のＴ相と接続するための第３Ｗ相端子、前記第１直流電源や前記第２直流電源や前記第１単相交流発電機や前記第２単相交流発電機の一方の端子と接続するための接続端子が設けられた端子部と、
第１ライン切り替えスイッチ〜第３ライン切り替えスイッチとを更に備え、
前記第３Ｕ相端子は、前記第１ライン切り替えスイッチのスイッチ状態に応じて、前記第１抵抗器の他方の端子と前記第４抵抗器の他方の端子のいずれか一方と接続され、
前記第３Ｖ相端子は、前記第２ライン切り替えスイッチのスイッチ状態に応じて、前記第２抵抗器の他方の端子と前記第５抵抗器の他方の端子のいずれか一方と接続され、
前記第３Ｗ相端子は、前記第３ライン切り替えスイッチのスイッチ状態に応じて、前記第３抵抗器の他方の端子と前記第６抵抗器の他方の端子のいずれか一方と接続され、
前記接続端子は、前記第１抵抗器〜前記第３抵抗器の一方の端子と接続されることを特徴とする請求項１に記載の負荷試験装置。
【請求項８】
前記抵抗器群は、二以上設けられ、
前記二以上の抵抗器群のそれぞれは、前記操作部に設けられたスイッチのオンオフ状態に応じて、オンオフ状態が変化する第１スイッチ〜第６スイッチを有し、
前記第１スイッチは前記第１抵抗器の端子のいずれかに接続され、
前記第２スイッチは前記第２抵抗器の端子のいずれかに接続され、
前記第３スイッチは前記第３抵抗器の端子のいずれかに接続され、
前記第４スイッチは前記第４抵抗器の端子のいずれかに接続され、
前記第５スイッチは前記第５抵抗器の端子のいずれかに接続され、
前記第６スイッチは前記第６抵抗器の端子のいずれかに接続されることを特徴とする請求項１に記載の負荷試験装置。
【請求項９】
前記第１スイッチは前記第１抵抗器の一方の端子に接続され、
前記第２スイッチは前記第２抵抗器の一方の端子に接続され、
前記第３スイッチは前記第３抵抗器の一方の端子に接続され、
前記第４スイッチは前記第４抵抗器の一方の端子に接続され、
前記第５スイッチは前記第５抵抗器の一方の端子に接続され、
前記第６スイッチは前記第６抵抗器の一方の端子に接続されることを特徴とする請求項８に記載の負荷試験装置。
【請求項１０】
抵抗器が複数本並べられた抵抗器列が、複数段並べられ、
前記抵抗器列の少なくとも１段を構成する抵抗器は予備用であり、前記抵抗器列の他の段の抵抗器列を構成する抵抗器は、前記第１抵抗器〜前記第６抵抗器として用いられることを特徴とする請求項８に記載の負荷試験装置。
【発明の詳細な説明】
【技術分野】
【０００１】
本発明は、負荷試験装置に関する。
【背景技術】
【０００２】
従来、特許文献１のように、三相交流発電機の負荷試験を行う負荷試験装置が提案されている。
【先行技術文献】
【特許文献】
【０００３】
【特許文献１】特開平０９−１５３０９号公報
【発明の概要】
【発明が解決しようとする課題】
【０００４】
しかし、直流電源の負荷試験が考慮されていない。【０００５】
したがって本発明の目的は、容易に三相交流発電機と直流電源若しくは単相交流発電機の負荷試験切り替えが可能な負荷試験装置を提供することである。
【課題を解決するための手段】
【０００６】
本発明に係る負荷試験装置は、第１抵抗器〜第６抵抗器を有する抵抗器群と、少なくとも第１回転位置〜第４回転位置の回転位置設定が可能なロータリースイッチを有する操作部とを備えた負荷試験装置であって、第１抵抗器の一方の端子と、第２抵抗器の一方の端子と、第３抵抗器の一方の端子は、接続され、第１抵抗器の他方の端子と、第４抵抗器の一方の端子とは、直列と並列の切り替えが可能な状態で接続され、第２抵抗器の他方の端子と、第５抵抗器の一方の端子とは、直列と並列の切り替えが可能な状態で接続され、第３抵抗器の他方の端子と、第６抵抗器の一方の端子とは、直列と並列の切り替えが可能な状態で接続され、負荷試験装置に第１三相交流発電機が接続され、ロータリースイッチの回転位置を第１回転位置に合わせた場合には、第１三相交流発電機のＲ相からの電流が、並列に接続された第１抵抗器と第４抵抗器に流れうる状態にされ、第１三相交流発電機のＳ相からの電流が、並列に接続された第２抵抗器と第５抵抗器に流れうる状態にされ、第１三相交流発電機のＴ相からの電流が、並列に接続された第３抵抗器と第６抵抗器に流れうる状態にされ、負荷試験装置に第１三相交流発電機よりも高電圧の第２三相交流発電機が接続され、ロータリースイッチの回転位置を第２回転位置に合わせた場合には、第２三相交流発電機のＲ相からの電流が、直列に接続された第１抵抗器と第４抵抗器に流れうる状態にされ、第２三相交流発電機のＳ相からの電流が、直列に接続された第２抵抗器と第５抵抗器に流れうる状態にされ、第２三相交流発電機のＴ相からの電流が、直列に接続された第３抵抗器と第６抵抗器に流れうる状態にされ、負荷試験装置に、第１直流電源若しくは第１単相交流発電機が接続され、ロータリースイッチの回転位置を第３回転位置に合わせた場合には、第１直流電源若しくは第１単相交流発電機からの電流が、並列に接続された第１抵抗器〜第６抵抗器に流れうる状態にされ、負荷試験装置に、第１直流電源よりも高電圧の第２直流電源若しくは第１単相交流発電機よりも高電圧の第２単相交流発電機が接続され、ロータリースイッチの回転位置を第４回転位置に合わせた場合には、第１抵抗器と第４抵抗器が直列に接続され、第２抵抗器と第５抵抗器が直列に接続され、第３抵抗器と第６抵抗器が直列に接続され、第１抵抗器〜第３抵抗器が並列に接続された状態で、第２直流電源若しくは第２単相交流発電機からの電流が、第１抵抗器〜第６抵抗器に流れうる状態にされる。【０００７】
定格電圧が異なる２種類の三相交流発電機の負荷試験に加え、定格電圧が異なる２種類の直流電源（若しくは単相交流発電機）の負荷試験を行うことが可能になる。【０００８】
電源の種類に対応した抵抗器の配線状態の切り替えは、ロータリースイッチの回転位置に対応して行われるため、電源の種類に対応して抵抗器を手作業で配線し直す必要はなく、容易に三相交流発電機と直流電源若しくは単相交流発電機の負荷試験切り替えを行うことが可能になる。【０００９】
好ましくは、ロータリースイッチの回転位置に連動してオンオフ制御される第１短絡スイッチ〜第３短絡スイッチを更に備え、ロータリースイッチの回転位置を第１回転位置若しくは第４回転位置に合わせた場合には、第１短絡スイッチを介して、第４抵抗器〜第６抵抗器の他方の端子が接続された状態にされ、ロータリースイッチの回転位置を第３回転位置に合わせた場合には、第２短絡スイッチを介して、第１抵抗器〜第３抵抗器の他方の端子と第４抵抗器〜第６抵抗器の一方の端子が接続された状態にされ、第３短絡スイッチを介して、第１抵抗器〜第３抵抗器の一方の端子と第４抵抗器〜第６抵抗器の他方の端子が接続された状態にされる。【００１０】
また、好ましくは、第１三相交流発電機のＲ相と接続するための第１Ｕ相端子、第１三相交流発電機のＳ相と接続するための第１Ｖ相端子、第１三相交流発電機のＴ相と接続するための第１Ｗ相端子、第２三相交流発電機のＲ相と接続するための第２Ｕ相端子、第２三相交流発電機のＳ相と接続するための第２Ｖ相端子、第２三相交流発電機のＴ相と接続するための第２Ｗ相端子、第１直流電源や第２直流電源や第１単相交流発電機や第２単相交流発電機の一方の端子と接続するための接続端子が設けられた端子部を更に備え、第１Ｕ相端子は、第１抵抗器の他方の端子や第４抵抗器の一方の端子と接続され、第１Ｖ相端子は、第２抵抗器の他方の端子や第５抵抗器の一方の端子と接続され、第１Ｗ相端子は、第３抵抗器の他方の端子や第６抵抗器の一方の端子と接続され、第２Ｕ相端子は、第４抵抗器の他方の端子と接続され、第２Ｖ相端子は、第５抵抗器の他方の端子と接続され、第２Ｗ相端子は、第６抵抗器の他方の端子と接続され、接続端子は、第１抵抗器〜第３抵抗器の一方の端子と接続される。【００１１】
さらに好ましくは、端子部は、第１Ｕ相端子、第１Ｖ相端子、第１Ｗ相端子、第２Ｕ相端子、第２Ｖ相端子、第２Ｗ相端子、接続端子の近傍に、負荷試験装置を使った試験対象電源に対応して使用する端子を説明する表記を含む表記部を有する。【００１２】
また、好ましくは、端子部は、第１Ｕ相端子、第１Ｖ相端子、第１Ｗ相端子、第２Ｕ相端子、第２Ｖ相端子、第２Ｗ相端子、接続端子の近傍に、ロータリースイッチの回転位置に対応して点灯する点灯部を有する。【００１３】
表記部や、点灯部で、使用する端子を示すことにより、試験対象電源と負荷試験装置の接続を容易に行える。【００１４】
また、好ましくは、ロータリースイッチの回転位置に連動してオンオフ制御される第１短絡スイッチ〜第３短絡スイッチを更に備え、ロータリースイッチの回転位置を第１回転位置若しくは第４回転位置に合わせた場合には、第１短絡スイッチを介して、第４抵抗器〜第６抵抗器の他方の端子が接続された状態にされ、ロータリースイッチの回転位置を第３回転位置に合わせた場合には、第２短絡スイッチを介して、第１抵抗器〜第３抵抗器の他方の端子と第４抵抗器〜第６抵抗器の一方の端子が接続された状態にされ、第３短絡スイッチを介して、第１抵抗器〜第３抵抗器の一方の端子と第４抵抗器〜第６抵抗器の他方の端子が接続された状態にされ、第１Ｕ相端子や第１Ｖ相端子や第１Ｗ相端子と第２短絡スイッチの間、第２Ｕ相端子や第２Ｖ相端子や第２Ｗ相端子と第１短絡スイッチや第３短絡スイッチの間、及び接続端子と第３短絡スイッチの間に、ロータリースイッチの回転位置に対応して、オンオフ状態が変化するオンオフスイッチが設けられる。【００１５】
誤配線時に負荷試験装置に想定外の電流が流れないよう出来る。【００１６】
また、好ましくは、第１三相交流発電機や第２三相交流発電機のＲ相と接続するための第３Ｕ相端子、第１三相交流発電機や第２三相交流発電機のＳ相と接続するための第３Ｖ相端子、第１三相交流発電機や第２三相交流発電機のＴ相と接続するための第３Ｗ相端子、第１直流電源や第２直流電源や第１単相交流発電機や第２単相交流発電機の一方の端子と接続するための接続端子が設けられた端子部と、第１ライン切り替えスイッチ〜第３ライン切り替えスイッチとを更に備え、第３Ｕ相端子は、第１ライン切り替えスイッチのスイッチ状態に応じて、第１抵抗器の他方の端子と第４抵抗器の他方の端子のいずれか一方と接続され、第３Ｖ相端子は、第２ライン切り替えスイッチのスイッチ状態に応じて、第２抵抗器の他方の端子と第５抵抗器の他方の端子のいずれか一方と接続され、第３Ｗ相端子は、第３ライン切り替えスイッチのスイッチ状態に応じて、第３抵抗器の他方の端子と第６抵抗器の他方の端子のいずれか一方と接続され、接続端子は、第１抵抗器〜第３抵抗器の一方の端子と接続される。【００１７】
端子部に設けられる端子の数を最小限にして、試験対象電源と負荷試験装置との接続を容易にすることが可能になる。【００１８】
また、好ましくは、抵抗器群は、二以上設けられ、二以上の抵抗器群のそれぞれは、操作部に設けられたスイッチのオンオフ状態に応じて、オンオフ状態が変化する第１スイッチ〜第６スイッチを有し、第１スイッチは第１抵抗器の端子のいずれかに接続され、第２スイッチは第２抵抗器の端子のいずれかに接続され、第３スイッチは第３抵抗器の端子のいずれかに接続され、第４スイッチは第４抵抗器の端子のいずれかに接続され、第５スイッチは第５抵抗器の端子のいずれかに接続され、第６スイッチは第６抵抗器の端子のいずれかに接続される。【００１９】
さらに好ましくは、第１スイッチは第１抵抗器の一方の端子に接続され、第２スイッチは第２抵抗器の一方の端子に接続され、第３スイッチは第３抵抗器の一方の端子に接続され、第４スイッチは第４抵抗器の一方の端子に接続され、第５スイッチは第５抵抗器の一方の端子に接続され、第６スイッチは第６抵抗器の一方の端子に接続される。【００２０】
中性点側に近づけることで（若しくは、試験対象電源の負極に近づけることで）、遠ざけた場合に比べて、第１スイッチ〜第６スイッチを壊れにくくすることが可能になる（高電圧の第２三相交流発電機や、第２直流電源の負荷試験時）。【００２１】
また、好ましくは、抵抗器が複数本並べられた抵抗器列が、複数段並べられ、抵抗器列の少なくとも１段を構成する抵抗器は予備用であり、抵抗器列の他の段の抵抗器列を構成する抵抗器は、第１抵抗器〜第６抵抗器として用いられる。【００２２】
第１抵抗器などとして使用されていた抵抗器が故障した場合でも、故障した抵抗器を予備用の抵抗器と取り替え、負荷試験を継続させることが可能になる。
【発明の効果】
【００２３】
以上のように本発明によれば、容易に三相交流発電機と直流電源若しくは単相交流発電機の負荷試験切り替えが可能な負荷試験装置を提供することができる。
【図面の簡単な説明】
【００２４】
【図１】第１実施形態における負荷試験装置の正面図である。
【図２】第１実施形態における負荷試験装置の側面図である。
【図３】第１実施形態における負荷試験装置の構成を示す模式図である。
【図４】抵抗部の一方の側面を示す図である。
【図５】抵抗部の他方の側面を示す図である。
【図６】抵抗部の回路図である。
【図７】図６の詳細を示すもので、抵抗部における、第１抵抗器群と第７抵抗器群と第１短絡スイッチ〜第３短絡スイッチの回路図である。
【図８】操作部の構成を示す模式図である。
【図９】端子部の構成を示す模式図である。
【図１０】第１三相交流発電機の負荷試験のために、第１短絡スイッチ、第１抵抗器群の第１スイッチ〜第６スイッチがオン状態にされた状態における抵抗部（第１抵抗器群〜第３抵抗器群、第１短絡スイッチ〜第３短絡スイッチ）の回路図である。
【図１１】第１三相交流発電機の負荷試験のために、第１短絡スイッチ、第１抵抗器群の第１スイッチ〜第６スイッチがオン状態にされた状態における第１抵抗器群の回路図である。
【図１２】第２三相交流発電機の負荷試験のために、第１抵抗器群の第１スイッチ〜第６スイッチがオン状態にされた状態における抵抗部（第１抵抗器群〜第３抵抗器群、第１短絡スイッチ〜第３短絡スイッチ）の回路図である。
【図１３】第２三相交流発電機の負荷試験のために、第１抵抗器群の第１スイッチ〜第６スイッチがオン状態にされた状態における第１抵抗器群の回路図である。
【図１４】第１直流電源の負荷試験のために、第２短絡スイッチ、第３短絡スイッチ、第１抵抗器群の第１スイッチ〜第６スイッチがオン状態にされた状態における抵抗部（第１抵抗器群〜第３抵抗器群、第１短絡スイッチ〜第３短絡スイッチ）の回路図である。
【図１５】第１直流電源の負荷試験のために、第２短絡スイッチ、第３短絡スイッチ、第１抵抗器群の第１スイッチ〜第６スイッチがオン状態にされた状態における第１抵抗器群の回路図である。
【図１６】第２直流電源の負荷試験のために、第１短絡スイッチ、第１抵抗器群の第１スイッチ〜第６スイッチがオン状態にされた状態における抵抗部（第１抵抗器群〜第３抵抗器群、第１短絡スイッチ〜第３短絡スイッチ）の回路図である。
【図１７】第２直流電源の負荷試験のために、第１短絡スイッチ、第１抵抗器群の第１スイッチ〜第６スイッチがオン状態にされた状態における第１抵抗器群の回路図である。
【図１８】端子部に、表記部を設けた例を示す図である。
【図１９】端子部に、表記部と点灯部を設けた例を示す図である。
【図２０】第１オンオフスイッチ〜第３オンオフスイッチを設けた抵抗部における、第１抵抗器群と第７抵抗器群と第１短絡スイッチ〜第３短絡スイッチの回路図である。
【図２１】第２実施形態における端子部の構成を示す模式図である。
【図２２】第２実施形態で、第１三相交流発電機の負荷試験のために、第１短絡スイッチ、第１抵抗器群の第１スイッチ〜第６スイッチがオン状態にされた状態における抵抗部（第１抵抗器群〜第３抵抗器群、第１短絡スイッチ〜第３短絡スイッチ、第１ライン切り替えスイッチ〜第３ライン切り替えスイッチ）の回路図である。
【図２３】第２実施形態で、第２三相交流発電機の負荷試験のために、第１抵抗器群の第１スイッチ〜第６スイッチがオン状態にされた状態における抵抗部（第１抵抗器群〜第３抵抗器群、第１短絡スイッチ〜第３短絡スイッチ、第１ライン切り替えスイッチ〜第３ライン切り替えスイッチ）の回路図である。
【図２４】第２実施形態で、第１直流電源の負荷試験のために、第２短絡スイッチ、第３短絡スイッチ、第１抵抗器群の第１スイッチ〜第６スイッチがオン状態にされた状態における抵抗部（第１抵抗器群〜第３抵抗器群、第１短絡スイッチ〜第３短絡スイッチ、第１ライン切り替えスイッチ〜第３ライン切り替えスイッチ）の回路図である。
【図２５】第２実施形態で、第２直流電源の負荷試験のために、第１短絡スイッチ、第１抵抗器群の第１スイッチ〜第６スイッチがオン状態にされた状態における抵抗部（第１抵抗器群〜第３抵抗器群、第１短絡スイッチ〜第３短絡スイッチ、第１ライン切り替えスイッチ〜第３ライン切り替えスイッチ）の回路図である。
【図２６】第１スイッチ〜第６スイッチを中性点側に近づけて配置した場合の、抵抗部における、第１抵抗器群と第７抵抗器群と第１短絡スイッチ〜第３短絡スイッチの回路図である。
【発明を実施するための形態】
【００２５】
以下、第１実施形態について、図を用いて説明する。第１実施形態における乾式の負荷試験装置１は、フレーム１０、抵抗部２０、冷却部３０、接続切り替え部４０を備える（図１〜図２０）。
【００２６】
なお、方向を説明するために、接続切り替え部４０とフレーム１０が並べられる水平方向をｘ方向、ｘ方向に垂直な水平方向をｙ方向、ｘ方向とｙ方向に垂直な鉛直方向をｚ方向として説明する。
【００２７】
フレーム１０は、上段に抵抗部２０を収容し、下段に冷却部３０を収納する。また、フレーム１０の側部には、接続切り替え部４０が設けられ、下部にはキャスターが設けられる。図２の側面図では、内部に設けられた抵抗部２０を点線で示す。
【００２８】
抵抗部２０は、ｙ方向に平行な棒状の抵抗器Ｒがｘ方向に所定の間隔を空けて複数本並べられた抵抗器列が、ｚ方向に複数段並べられたもので、端子部４３を介して接続された発電機などの電源の負荷試験を行うために用いられる。
【００２９】
第１実施形態では、抵抗器Ｒは、ｘ方向に９本並べられた抵抗器列が、ｚ方向に１３段並べられる。ただし、各抵抗器列に並べられる抵抗器Ｒの本数や、抵抗器列が積み重ねられる段数は、これに限るものではない。
【００３０】
なお、少なくとも１段の抵抗器列（図４や図５で示す例では、最も上段の抵抗器列）の抵抗器Ｒは、他の抵抗器Ｒが故障した場合の取り替えなど予備用で、他の段の抵抗器列を構成する抵抗器Ｒが、第１抵抗器群Ｇ１〜第１２抵抗器群Ｇ１２を構成する抵抗器Ｒ（第１抵抗器Ｒ１〜第６抵抗器Ｒ６）として用いられるのが望ましい。
【００３１】
抵抗部２０を構成する抵抗器Ｒにおいて、近接する６本若しくは１２本の抵抗器Ｒを、１つの抵抗器群とし、試験対象電源からの電圧印加を行う抵抗器群の数を変えながら、負荷試験を行う。
【００３２】
また、負荷試験対象の電源の種類に応じて、抵抗器群内の接続（抵抗器群内の抵抗器Ｒの接続状態）を変える。
【００３３】
抵抗部２０は、第１抵抗器群Ｇ１〜第１２抵抗器群Ｇ１２と、第１短絡スイッチＳＳ１〜第３短絡スイッチＳＳ３を有する。第１実施形態では、定格電圧：４００Ｖで定格容量：１．６７ｋＷの抵抗器Ｒを６本有する第１抵抗器群Ｇ１（定格容量：１ｋＷ）、定格電圧：１１６Ｖ、定格容量：３３４Ｗの抵抗器Ｒを６本有する第２抵抗器群Ｇ２（定格容量：２ｋＷ、第３抵抗器群Ｇ３も同じ）、定格電圧：１１６Ｖ、定格容量：８３４Ｗの抵抗器Ｒを６本有する第４抵抗器群Ｇ４（定格容量：５ｋＷ）、定格電圧：１１６Ｖ、定格容量：１．６７ｋＷの抵抗器Ｒを６本有する第５抵抗器群Ｇ５（定格容量：１０ｋＷ、第６抵抗器群Ｇ６も同じ）、定格電圧：１１６Ｖ、定格容量：１．６７ｋＷの抵抗器Ｒを１２本有する第７抵抗器群Ｇ７（定格容量：２０ｋＷ、第８抵抗器群Ｇ８〜第１２抵抗器群Ｇ１２も同じ）が、設けられた例を示す（図４〜図６参照）。ただし、抵抗器群Ｇの数やそれぞれの定格電圧や定格容量は上述の構成に限るものではない。
【００３４】
各抵抗器群や短絡スイッチの構成について、説明する。
【００３５】
第１抵抗器群Ｇ１は、６本の抵抗器Ｒ（第１抵抗器Ｒ１〜第６抵抗器Ｒ６）と、６つのスイッチＳＷ（第１スイッチＳＷ１〜第６スイッチＳＷ６）を有する（図７参照）。
【００３６】
第１抵抗器Ｒ１〜第３抵抗器Ｒ３の一方の端子は、短絡バーで接続され、接続切り替え部４０の端子部４３を構成する端子の一つである接続端子Ｍからの線（ラインＬＮ）に接続される。
【００３７】
第１抵抗器Ｒ１の他方の端子は、第１スイッチＳＷ１と第４スイッチＳＷ４を介して、第４抵抗器Ｒ４の一方の端子と接続され、第１スイッチＳＷ１を介して、接続切り替え部４０の端子部４３を構成する端子の一つである第１Ｕ相端子Ｕ１からの線（第１Ｕ相ラインＬＵ１）に接続される。
【００３８】
第２抵抗器Ｒ２の他方の端子は、第２スイッチＳＷ２と第５スイッチＳＷ５を介して、第５抵抗器Ｒ５の一方の端子と接続され、第２スイッチＳＷ２を介して、接続切り替え部４０の端子部４３を構成する端子の一つである第１Ｖ相端子Ｖ１からの線（第１Ｖ相ラインＬＶ１）に接続される。
【００３９】
第３抵抗器Ｒ３の他方の端子は、第３スイッチＳＷ３と第６スイッチＳＷ６を介して、第６抵抗器Ｒ６の一方の端子と接続され、第３スイッチＳＷ３を介して、接続切り替え部４０の端子部４３を構成する端子の一つである第１Ｗ相端子Ｗ１からの線（第１Ｗ相ラインＬＷ１）に接続される。
【００４０】
第４抵抗器Ｒ４の他方の端子は、接続切り替え部４０の端子部４３を構成する端子の一つである第２Ｕ相端子Ｕ２からの線（第２Ｕ相ラインＬＵ２）に接続される。
【００４１】
第５抵抗器Ｒ５の他方の端子は、接続切り替え部４０の端子部４３を構成する端子の一つである第２Ｖ相端子Ｖ２からの線（第２Ｖ相ラインＬＶ２）に接続される。
【００４２】
第６抵抗器Ｒ６の他方の端子は、接続切り替え部４０の端子部４３を構成する端子の一つである第２Ｗ相端子Ｗ２からの線（第２Ｗ相ラインＬＷ２）に接続される。
【００４３】
第１スイッチＳＷ１〜第３スイッチＳＷ３は、三連スイッチを構成し、第４スイッチＳＷ４〜第６スイッチＳＷ６は、三連スイッチを構成する。なお、第１スイッチＳＷ１〜第６スイッチＳＷ６が六連スイッチを構成する形態であってもよい。
【００４４】
第２抵抗器群Ｇ２〜第６抵抗器群Ｇ６は、第１抵抗器群Ｇ１と同様に、６本の抵抗器Ｒ（第１抵抗器Ｒ１〜第６抵抗器Ｒ６）と６つのスイッチＳＷ（第１スイッチＳＷ１〜第６スイッチＳＷ６）を有するので、説明は省略する。ただし、定格電圧や定格容量に応じて、抵抗値Ｒの抵抗値は、抵抗器群ごとに異なる。
【００４５】
第７抵抗器群Ｇ７は、６対（１２本）の抵抗器Ｒ（第１抵抗器Ｒ１〜第６抵抗器Ｒ６）と、６つのスイッチＳＷ（第１スイッチＳＷ１〜第６スイッチＳＷ６）を有する。
【００４６】
第７抵抗器群Ｇ７の第１抵抗器Ｒ１を構成する２本の抵抗器は短絡バーなどを使って並列に接続され、第２抵抗器Ｒ２を構成する２本の抵抗器は短絡バーなどを使って並列に接続され、第３抵抗器Ｒ３を構成する２本の抵抗器は短絡バーなどを使って並列に接続され、第４抵抗器Ｒ４を構成する２本の抵抗器は短絡バーなどを使って並列に接続され、第５抵抗器Ｒ５を構成する２本の抵抗器は短絡バーなどを使って並列に接続され、第６抵抗器Ｒ６を構成する２本の抵抗器は短絡バーなどを使って並列に接続される。
【００４７】
その他の構成は、第１抵抗器群Ｇ１の第１抵抗器Ｒ１〜第６抵抗器Ｒ６や、第１スイッチＳＷ１〜第６スイッチＳＷ６と同様である。
【００４８】
第８抵抗器群Ｇ８〜第１２抵抗器群Ｇ１２は、第７抵抗器群Ｇ７と同様に、６対（１２本）の抵抗器Ｒ（第１抵抗器Ｒ１〜第６抵抗器Ｒ６）と６つのスイッチＳＷ（第１スイッチＳＷ１〜第６スイッチＳＷ６）を有するので、説明は省略する。
【００４９】
第１短絡スイッチＳＳ１は、第２Ｕ相ラインＬＵ２と第２Ｖ相ラインＬＶ２と第２Ｗ相ラインＬＷ２を短絡するためのスイッチである。第２短絡スイッチＳＳ２は、第１Ｕ相ラインＬＵ１と第１Ｖ相ラインＬＶ１と第１Ｗ相ラインＬＷ１を短絡するためのスイッチである。
第３短絡スイッチＳＳ３は、第２Ｕ相ラインＬＵ２と第２Ｖ相ラインＬＶ２と第２Ｗ相ラインＬＷ２とラインＬＮを短絡するためのスイッチである。
【００５０】
抵抗器列のそれぞれは、絶縁素材で出来た枠で側面が覆われ、下部に設けられた冷却部３０からの冷風を上部に流すために、上面と下面が開口する。
【００５１】
冷却部３０による冷却を効率良く行うために、抵抗器列を構成する抵抗器Ｒと当該抵抗器Ｒとｘ方向に隣接する抵抗器Ｒの中間の位置に、ｚ方向に隣接する抵抗器列の抵抗器Ｒが配置されるように、各抵抗器列の抵抗器Ｒが配列される。
【００５２】
抵抗部２０の下部（フレーム１０の下段）には、冷却ファンを有する冷却部３０が設けられる。
【００５３】
抵抗部２０を構成するスイッチ（第１スイッチＳＷ１〜第６スイッチＳＷ６、第１短絡スイッチＳＳ１〜第３短絡スイッチＳＳ３）や、冷却部３０は、試験対象電源とは別の電源（負荷試験装置駆動用電源）で駆動される（図３参照）。
【００５４】
接続切り替え部４０は、操作部４１、端子部４３を有する（図２、図３、図８、図９参照）。端子部４３は、操作部４１と離れた位置（例えば、操作部４１の背面など）に配置される形態であってもよい。
【００５５】
操作部４１は、ロータリースイッチ４１ａ、第１操作スイッチＳ１〜第１２操作スイッチＳ１２を有する。
【００５６】
ロータリースイッチ４１ａは、負荷試験装置１のオンオフや、試験対象の電源の種類を選択する（モード切替する）ために使用され、第１回転位置Ｐ１〜第５回転位置Ｐ５を有する。
【００５７】
定格電圧が２００Ｖの第１三相交流発電機の負荷試験を行う場合には、ロータリースイッチ４１ａの回転位置を第１回転位置Ｐ１に合わせる。
【００５８】
定格電圧が４００Ｖの第２三相交流発電機（第１三相交流発電機よりも定格電圧が大きい発電機）の負荷試験を行う場合には、ロータリースイッチ４１ａの回転位置を第２回転位置Ｐ２に合わせる。
【００５９】
定格電圧が９６Ｖの第１直流電源若しくは第１単相交流発電機の負荷試験を行う場合には、ロータリースイッチ４１ａの回転位置を第３回転位置Ｐ３に合わせる。
【００６０】
定格電圧が１９２Ｖの第２直流電源（第１直流電源よりも定格電圧が大きい電源）若しくは第２単相交流発電機（第１単相交流発電機の定格電圧よりも大きい発電機）の負荷試験を行う場合には、ロータリースイッチ４１ａの回転位置を第４回転位置Ｐ４に合わせる。
【００６１】
なお、第１三相交流発電機などの定格電圧は、上述のものに限らない。例えば、抵抗器Ｒや抵抗器群Ｇの数やそれぞれの定格電圧や定格容量を、第１三相交流発電機の定格電圧が１００Ｖ、第２三相交流発電機の定格電圧が２００Ｖ、第１直流電源若しくは第１単相交流発電機の定格電圧が４８Ｖ、第２直流電源若しくは第２単相交流発電機の定格電圧が９６Ｖに対応させる形態が考えられる。
【００６２】
負荷試験装置１をオフにする場合は、ロータリースイッチ４１ａの回転位置を第５回転位置Ｐ５に合わせる。
【００６３】
第１操作スイッチＳ１〜第１２操作スイッチＳ１２は、スライド式（若しくはトグル式若しくは押しボタン式）の操作スイッチで、第１抵抗器群Ｇ１〜第１２抵抗器群Ｇ１２それぞれの第１スイッチＳＷ１〜第６スイッチＳＷ６のオンオフ制御を行うためのスイッチである。第１操作スイッチＳ１をオン状態にすると、第１抵抗器群Ｇ１の第１スイッチＳＷ１〜第６スイッチＳＷ６がオン状態（導通状態）にされて、第１抵抗器群Ｇ１に、端子部４３を介して負荷試験装置１に接続された試験対象電源からの電流が流れうる状態にされる（図１０参照）。第２操作スイッチＳ２〜第１２操作スイッチＳ１２も、同様で、オン状態にすると、対応する抵抗器群の第１スイッチＳＷ１〜第６スイッチＳＷ６がオン状態（導通状態）にされて、当該抵抗器群に、端子部４３を介して負荷試験装置１に接続された試験対象電源からの電流が流れうる状態にされる。
【００６４】
ロータリースイッチ４１ａの回転位置を第１回転位置Ｐ１〜第４回転位置Ｐ４のいずれかに合わせた場合に、冷却部３０の冷却ファンは駆動され、第１操作スイッチＳ１〜第１２操作スイッチＳ１２の操作状態に基づき第１抵抗器群Ｇ１〜第１２抵抗器群Ｇ１２それぞれの第１スイッチＳＷ１〜第６スイッチＳＷ６のオンオフ制御が行われる。
【００６５】
なお、主電源スイッチを設け、主電源スイッチがオン状態で且つロータリースイッチ４１ａの回転位置を第１回転位置Ｐ１〜第４回転位置Ｐ４のいずれかに合わせた場合に、冷却ファンの駆動や第１スイッチＳＷ１〜第６スイッチＳＷ６のオンオフ制御が行われる形態であってもよい。
【００６６】
端子部４３は、試験対象の電源を接続するための端子で、接続端子Ｍ、第１Ｕ相端子Ｕ１、第１Ｖ相端子Ｖ１、第１Ｗ相端子Ｗ１、第２Ｕ相端子Ｕ２、第２Ｖ相端子Ｖ２、第２Ｗ相端子Ｗ２を有する。
【００６７】
第１三相交流発電機の負荷試験の場合は、第１短絡スイッチＳＳ１をオン状態（導通すなわち短絡状態）で、第１三相交流発電機のＲ相、Ｓ相、Ｔ相からのケーブルを、それぞれ第１Ｕ相端子Ｕ１、第１Ｖ相端子Ｖ１、第１Ｗ相端子Ｗ１に接続する（図１０、図１１参照）。
【００６８】
第２三相交流発電機の負荷試験の場合は、第２三相交流発電機のＲ相、Ｓ相、Ｔ相からのケーブルを、それぞれ第２Ｕ相端子Ｕ２、第２Ｖ相端子Ｖ２、第２Ｗ相端子Ｗ２に接続する（図１２、図１３参照）。
【００６９】
第１直流電源（若しくは第１単相交流発電機）の負荷試験の場合は、第２短絡スイッチＳＳ２をオン状態（導通すなわち短絡状態）で、且つ第３短絡スイッチＳＳ３をオン状態（導通すなわち短絡状態）で、第１直流電源（若しくは、第１単相交流発電機）の一方の端子（例えば、第１直流電源の負極端子）からのケーブルを、第２Ｕ相端子Ｕ２、第２Ｖ相端子Ｖ２、第２Ｗ相端子Ｗ２、接続端子Ｍのいずれかと接続し、第１直流電源（若しくは、第１単相交流発電機）の他方の端子（例えば、第１直流電源の正極端子）からのケーブルを、第１Ｕ相端子Ｕ１、第１Ｖ相端子Ｖ１、第１Ｗ相端子Ｗ１のいずれかに接続する（図１４、図１５参照）。
【００７０】
第２直流電源（若しくは第２単相交流発電機）の負荷試験の場合は、第１短絡スイッチＳＳ１をオン状態（導通すなわち短絡状態）で、第２直流電源（若しくは、第２単相交流発電機）の一方の端子（例えば、第２直流電源の負極端子）からのケーブルを、接続端子Ｍと接続し、第２直流電源（若しくは、第２単相交流発電機）の他方の端子（例えば、第２直流電源の正極端子）からのケーブルを、第２Ｕ相端子Ｕ２、第２Ｖ相端子Ｖ２、第２Ｗ相端子Ｗ２のいずれかに接続する（図１６、図１７参照）。
【００７１】
ロータリースイッチ４１ａの回転位置に応じて、第１短絡スイッチＳＳ１〜第３短絡スイッチＳＳ３のオンオフ状態が制御され、第１操作スイッチＳ１〜第１２操作スイッチＳ１２の操作位置に応じて、第１抵抗器群Ｇ１〜第１２抵抗器群Ｇ１２それぞれの第１スイッチＳＷ１〜第６スイッチＳＷ６のオンオフ状態（第１抵抗器群Ｇ１〜第１２抵抗器群Ｇ１２の導通状態）が制御される。
【００７２】
ロータリースイッチ４１ａを第１回転位置Ｐ１に合わせ、第１操作スイッチＳ１がオン状態にされ、第２操作スイッチＳ２〜第１２操作スイッチＳ１２がオフ状態にされた場合には、第１短絡スイッチＳＳ１と、第１抵抗器群Ｇ１の第１スイッチＳＷ１〜第６スイッチＳＷ６がオン状態にされ、他のスイッチはオフ状態にされる。
【００７３】
このときに、第１三相交流発電機のＲ相、Ｓ相、Ｔ相からのケーブルを、それぞれ第１Ｕ相端子Ｕ１、第１Ｖ相端子Ｖ１、第１Ｗ相端子Ｗ１に接続していると、第１三相交流発電機のＲ相からの電流が、並列に接続された第１抵抗器群Ｇ１の第１抵抗器Ｒ１と第４抵抗器Ｒ４に流れうる状態にされ、第１三相交流発電機のＳ相からの電流が、並列に接続された第１抵抗器群Ｇ１の第２抵抗器Ｒ２と第５抵抗器Ｒ５に流れうる状態にされ、第１三相交流発電機のＴ相からの電流が、並列に接続された第１抵抗器群Ｇ１の第３抵抗器Ｒ３と第６抵抗器Ｒ６に流れうる状態にされる（図１０、図１１参照）。
【００７４】
ロータリースイッチ４１ａを第２回転位置Ｐ２に合わせ、第１操作スイッチＳ１がオン状態にされ、第２操作スイッチＳ２〜第１２操作スイッチＳ１２がオフ状態にされた場合には、第１抵抗器群Ｇ１の第１スイッチＳＷ１〜第６スイッチＳＷ６がオン状態にされ、他のスイッチはオフ状態にされる。
【００７５】
このときに、第２三相交流発電機のＲ相、Ｓ相、Ｔ相からのケーブルを、それぞれ第２Ｕ相端子Ｕ２、第２Ｖ相端子Ｖ２、第２Ｗ相端子Ｗ２に接続していると、第２三相交流発電機のＲ相からの電流が、直列に接続された第１抵抗器群Ｇ１の第１抵抗器Ｒ１と第４抵抗器Ｒ４に流れうる状態にされ、第２三相交流発電機のＳ相からの電流が、直列に接続された第１抵抗器群Ｇ１の第２抵抗器Ｒ２と第５抵抗器Ｒ５に流れうる状態にされ、第２三相交流発電機のＴ相からの電流が、直列に接続された第１抵抗器群Ｇ１の第３抵抗器Ｒ３と第６抵抗器Ｒ６に流れうる状態にされる（図１２、図１３参照）。
【００７６】
ロータリースイッチ４１ａを第３回転位置Ｐ３に合わせ、第１操作スイッチＳ１がオン状態にされ、第２操作スイッチＳ２〜第１２操作スイッチＳ１２がオフ状態にされた場合には、第２短絡スイッチＳＳ２と、第３短絡スイッチＳＳ３と、第１抵抗器群Ｇ１の第１スイッチＳＷ１〜第６スイッチＳＷ６がオン状態にされ、他のスイッチはオフ状態にされる。
【００７７】
このときに、第１直流電源（若しくは第１単相交流発電機）の一方の端子からのケーブルを、第２Ｕ相端子Ｕ２、第２Ｖ相端子Ｖ２、第２Ｗ相端子Ｗ２、接続端子Ｍのいずれかに接続し、第１直流電源（若しくは第１単相交流発電機）の他方の端子からのケーブルを、第１Ｕ相端子Ｕ１、第１Ｖ相端子Ｖ１、第１Ｗ相端子Ｗ１のいずれかに接続していると、第１直流電源（若しくは第１単相交流発電機）からの電流が、並列に接続された第１抵抗器群Ｇ１の第１抵抗器Ｒ１〜第６抵抗器Ｒ６に流れうる状態にされる（図１４、図１５参照）。
【００７８】
ロータリースイッチ４１ａを第４回転位置Ｐ４に合わせ、第１操作スイッチＳ１がオン状態にされ、第２操作スイッチＳ２〜第１２操作スイッチＳ１２がオフ状態にされた場合には、第１短絡スイッチＳＳ１と、第１抵抗器群Ｇ１の第１スイッチＳＷ１〜第６スイッチＳＷ６がオン状態にされ、他のスイッチはオフ状態にされる。
【００７９】
このときに、第２直流電源（若しくは第２単相交流発電機）の一方の端子からのケーブルを、接続端子Ｍに接続し、第２直流電源（若しくは第２単相交流発電機）の他方の端子からのケーブルを、第２Ｕ相端子Ｕ２、第２Ｖ相端子Ｖ２、第２Ｗ相端子Ｗ２のいずれかに接続していると、第２直流電源（若しくは第２単相交流発電機）からの電流が、第１抵抗器Ｒ１と第４抵抗器Ｒ４が直列に接続され、第２抵抗器Ｒ２と第５抵抗器Ｒ５が直列に接続され、第３抵抗器Ｒ３と第６抵抗器Ｒ６が直列に接続され、これらが並列に接続されたものに流れうる状態にされる（図１６、図１７参照）。
【００８０】
第１実施形態では、負荷試験装置１を使って、定格電圧が異なる２種類の三相交流発電機の負荷試験に加え、定格電圧が異なる２種類の直流電源（若しくは単相交流発電機）の負荷試験を行うことが可能になる。ロータリースイッチ４１では、第１回転位置Ｐ１〜第５回転位置Ｐ５など、３以上の操作モードを選択することが出来、試験対象の電源や発電機の種類や特性に応じた適切な操作モードの選択を容易且つ間違わずに行うことが可能になる。
【００８１】
電源の種類に対応した抵抗部２０の配線状態の切り替えは、ロータリースイッチ４１ａの回転位置に対応して制御される第１短絡スイッチＳＳ１〜第３短絡スイッチＳＳ３のオンオフ状態に切り替えにより行われるため、電源の種類に対応して手作業で抵抗部２０の内部を配線し直す必要はなく、容易に三相交流発電機と直流電源若しくは単相交流発電機の負荷試験切り替え（試験対象電源に合わせた配線切り替え）を行うことが可能になる。
【００８２】
なお、端子部４３は、図９に示すように、端子の名称だけを表記する形態であってもよいが、接続する端子がどれであるかを分かりやすくする目的で、第１Ｕ相端子Ｕ１、第１Ｖ相端子Ｖ１、第１Ｗ相端子Ｗ１、第２Ｕ相端子Ｕ２、第２Ｖ相端子Ｖ２、第２Ｗ相端子Ｗ２、接続端子Ｍの近傍に、試験対象電源に対応して使用する端子を説明する表記部４４を設ける形態であってもよい（図１８参照）。
【００８３】
図１８は、表記部４４として、第１Ｕ相端子Ｕ１、第１Ｖ相端子Ｖ１、第１Ｗ相端子Ｗ１の使用説明として、斜め文字“２００Ｖ三相交流発電機で使用（９６Ｖ直流電源試験では、いずれかの端子を正極と接続）”や破線矢印を表記し、第２Ｕ相端子Ｕ２、第２Ｖ相端子Ｖ２、第２Ｗ相端子Ｗ２の使用説明として、斜め文字“４００Ｖ三相交流発電機で使用（１９２Ｖ直流電源試験では、いずれかの端子を正極と接続）”や破線矢印を表記し、接続端子Ｍの使用説明として、斜め文字“９６Ｖ／１９２Ｖ直流電源試験で負極と接続”や破線矢印を表記する例を示す。
【００８４】
ただし、表記部４４の表記方法や表記内容は、図１８の例に示すものに限らない。
【００８５】
また、表記部４４に代えて、若しくは表記部４４と併用して、第１Ｕ相端子Ｕ１、第１Ｖ相端子Ｖ１、第１Ｗ相端子Ｗ１、第２Ｕ相端子Ｕ２、第２Ｖ相端子Ｖ２、第２Ｗ相端子Ｗ２、接続端子Ｍの近傍に点灯部４５（第１点灯部４５ａ〜第７点灯部４５ｇ）を設け、ロータリースイッチ４１ａの回転位置に対応して、使用すべき端子（試験対象電源に対応して使用する端子）近傍の点灯部を点灯させ、使用しない端子（試験対象電源に対応しない端子）近傍の点灯部を消灯させてもよい（図１９参照）。
【００８６】
ロータリースイッチ４１ａの回転位置を第１回転位置Ｐ１に合わせた場合には、第１点灯部４５ａ〜第３点灯部４５ｃが点灯し、その他は消灯する。
【００８７】
ロータリースイッチ４１ａの回転位置を第２回転位置Ｐ２に合わせた場合には、第４点灯部４５ｄ〜第６点灯部４５ｆが点灯し、その他は消灯する。
【００８８】
ロータリースイッチ４１ａの回転位置を第３回転位置Ｐ３に合わせた場合には、第１点灯部４５ａ〜第３点灯部４５ｃの総て若しくはいずれか一つ（残りは点滅でも良い）と、第７点灯部４５ｇが点灯し、その他は消灯する。
【００８９】
ロータリースイッチ４１ａの回転位置を第４回転位置Ｐ４に合わせた場合には、第４点灯部４５ｄ〜第６点灯部４５ｆの総て若しくはいずれか一つ（残りは点滅でも良い）と、第７点灯部４５ｇが点灯し、その他は消灯する。
【００９０】
ロータリースイッチ４１ａの回転位置を第５回転位置Ｐ５に合わせた場合には、第１点灯部４５ａ〜第７点灯部４５ｇの総てが消灯する。
【００９１】
表記部４４や、点灯部４５で、使用する端子を示すことにより、試験対象電源と負荷試験装置１の接続を容易に行える。
【００９２】
また、誤配線時に負荷試験装置１に想定外の電流が流れないように、端子部４３の端子の近傍で且つ、端子と接続されたライン上に第１オンオフスイッチＯＳＷ１〜第３オンオフスイッチＯＳＷ３を設け、ロータリースイッチ４１ａの回転位置に対応して、使用すべき端子（試験対象電源に対応して使用する端子）近傍のオンオフスイッチをオン状態にして導通可能な状態にし、使用しない端子（試験対象電源に対応しない端子）近傍のオンオフスイッチをオフ状態にして導通不能な状態にする形態であってもよい（図２０参照）。
【００９３】
第１オンオフスイッチＯＳＷ１は、第１Ｕ相ラインＬＵ１、第１Ｖ相ラインＬＶ１、第１Ｗ相ラインＬＷ１上であって、第１Ｕ相端子Ｕ１や第１Ｖ相端子Ｖ１や第１Ｗ相端子Ｗ１と第２短絡スイッチＳＳ２の間に設けられた三連スイッチである。
【００９４】
第２オンオフスイッチＯＳＷ２は、第２Ｕ相ラインＬＵ２、第２Ｖ相ラインＬＶ２、第２Ｗ相ラインＬＷ２上であって、第２Ｕ相端子Ｕ２や第２Ｖ相端子Ｖ２や第２Ｗ相端子Ｗ２と第１短絡スイッチＳＳ１や第３短絡スイッチＳＳ３の間に設けられた三連スイッチである。
【００９５】
第３オンオフスイッチＯＳＷ３は、ラインＬＮ上であって、接続端子Ｍと第３短絡スイッチＳＳ３の間に設けられたスイッチである。
【００９６】
ロータリースイッチ４１ａの回転位置を第１回転位置Ｐ１に合わせた場合には、第１オンオフスイッチＯＳＷ１をオン状態にし、第２オンオフスイッチＯＳＷ２と第３オンオフスイッチＯＳＷ３はオフ状態にする。
【００９７】
ロータリースイッチ４１ａの回転位置を第２回転位置Ｐ２に合わせた場合には、第２オンオフスイッチＯＳＷ２をオン状態にし、第１オンオフスイッチＯＳＷ１と第３オンオフスイッチＯＳＷ３はオフ状態にする。
【００９８】
ロータリースイッチ４１ａの回転位置を第３回転位置Ｐ３に合わせた場合には、第１オンオフスイッチＯＳＷ１と第２オンオフスイッチＯＳＷ２と第３オンオフスイッチＯＳＷ３をオン状態にする。ただし、第２オンオフスイッチＯＳＷ２と第３オンオフスイッチＯＳＷ３の一方はオフ状態でも良い。
【００９９】
ロータリースイッチ４１ａの回転位置を第４回転位置Ｐ４に合わせた場合には、第２オンオフスイッチＯＳＷ２と第３オンオフスイッチＯＳＷ３をオン状態にし、第１オンオフスイッチＯＳＷ１はオフ状態にする。
【０１００】
ロータリースイッチ４１ａの回転位置を第５回転位置Ｐ５に合わせた場合には、第１オンオフスイッチＯＳＷ１と第２オンオフスイッチＯＳＷ２と第３オンオフスイッチＯＳＷ３をオフ状態にする。
【０１０１】
また、第１実施形態では、定格電圧が低い第１三相交流発電機と接続するための端子（第１Ｕ相端子Ｕ１、第１Ｖ相端子Ｖ１、第１Ｗ相端子Ｗ１）と、定格電圧が高い第２三相交流発電機と接続するための端子（第２Ｕ相端子Ｕ２、第２Ｖ相端子Ｖ２、第２Ｗ相端子Ｗ２）とが、別々に設けられる形態を説明したが、第３Ｕ相端子Ｕ３、第３Ｖ相端子Ｖ３、第３Ｗ相端子Ｗ３で共用させる形態であってもよい（第２実施形態、図２１〜図２５参照）。
【０１０２】
具体的には、端子部４３には、Ｕ相用の端子、Ｖ相用の端子、Ｗ相用の端子、負極用の端子がそれぞれ一つずつ設けられる（第３Ｕ相端子Ｕ３、第３Ｖ相端子Ｖ３、第３Ｗ相端子Ｗ３、接続端子Ｍ、図２１参照）。また、抵抗部２０には、第１抵抗器群Ｇ１〜第１２抵抗器群Ｇ１２、第１短絡スイッチＳＳ１〜第３短絡スイッチＳＳ３の他に、三連スイッチを構成する第１ライン切り替えスイッチ〜第３ライン切り替えスイッチＬＳＷ１〜ＬＳＷ３が設けられる。
【０１０３】
第３Ｕ相端子Ｕ３からの線（第３Ｕ相ラインＬＵ３）は、第１ライン切り替えスイッチＬＳＷ１を介して、第１Ｕ相ラインＬＵ１と第２Ｕ相ラインＬＵ２のいずれか一方に接続し、第３Ｖ相端子Ｖ３からの線（第３Ｖ相ラインＬＶ３）は、第２ライン切り替えスイッチＬＳＷ２を介して、第１Ｖ相ラインＬＶ１と第２Ｖ相ラインＬＶ２のいずれか一方に接続し、第３Ｗ相端子Ｗ３からの線（第３Ｗ相ラインＬＷ３）は、第３ライン切り替えスイッチＬＳＷ３を介して、第１Ｗ相ラインＬＷ１と第２Ｗ相ラインＬＷ２のいずれか一方に接続する。
【０１０４】
その他の形態は、第１実施形態と共通する。
【０１０５】
ロータリースイッチ４１ａの回転位置に応じて、第１短絡スイッチＳＳ１〜第３短絡スイッチＳＳ３のオンオフ状態や、第１ライン切り替えスイッチＬＳＷ１〜第３ライン切り替えスイッチＬＳＷ３の接続状態が制御され、第１操作スイッチＳ１〜第１２操作スイッチＳ１２の操作位置に応じて、第１抵抗器群Ｇ１〜第１２抵抗器群Ｇ１２それぞれの第１スイッチＳＷ１〜第６スイッチＳＷ６のオンオフ状態（第１抵抗器群Ｇ１〜第１２抵抗器群Ｇ１２の導通状態）が制御される。
【０１０６】
ロータリースイッチ４１ａを第１回転位置Ｐ１に合わせ、第１操作スイッチＳ１がオン状態にされ、第２操作スイッチＳ２〜第１２操作スイッチＳ１２がオフ状態にされた場合には、第１短絡スイッチＳＳ１と、第１抵抗器群Ｇ１の第１スイッチＳＷ１〜第６スイッチＳＷ６がオン状態にされ、他のスイッチはオフ状態にされる。
【０１０７】
第３Ｕ相ラインＬＵ３は、第１ライン切り替えスイッチＬＳＷ１を介して、第１Ｕ相ラインＬＵ１と接続し、第３Ｖ相ラインＬＶ３は、第２ライン切り替えスイッチＬＳＷ２を介して、第１Ｖ相ラインＬＶ１と接続し、第３Ｗ相ラインＬＷ３は、第３ライン切り替えスイッチＬＳＷ３を介して、第１Ｗ相ラインＬＷ１と接続する。
【０１０８】
このときに、第１三相交流発電機のＲ相、Ｓ相、Ｔ相からのケーブルを、それぞれ第３Ｕ相端子Ｕ３、第３Ｖ相端子Ｖ３、第３Ｗ相端子Ｗ３に接続していると、第１三相交流発電機のＲ相からの電流が、並列に接続された第１抵抗器群Ｇ１の第１抵抗器Ｒ１と第４抵抗器Ｒ４に流れうる状態にされ、第１三相交流発電機のＳ相からの電流が、並列に接続された第１抵抗器群Ｇ１の第２抵抗器Ｒ２と第５抵抗器Ｒ５に流れうる状態にされ、第１三相交流発電機のＴ相からの電流が、並列に接続された第１抵抗器群Ｇ１の第３抵抗器Ｒ３と第６抵抗器Ｒ６に流れうる状態にされる（図２２参照）。
【０１０９】
ロータリースイッチ４１ａを第２回転位置Ｐ２に合わせ、第１操作スイッチＳ１がオン状態にされ、第２操作スイッチＳ２〜第１２操作スイッチＳ１２がオフ状態にされた場合には、第１抵抗器群Ｇ１の第１スイッチＳＷ１〜第６スイッチＳＷ６がオン状態にされ、他のスイッチはオフ状態にされる。
【０１１０】
第３Ｕ相ラインＬＵ３は、第１ライン切り替えスイッチＬＳＷ１を介して、第２Ｕ相ラインＬＵ２と接続し、第３Ｖ相ラインＬＶ３は、第２ライン切り替えスイッチＬＳＷ２を介して、第２Ｖ相ラインＬＶ２と接続し、第３Ｗ相ラインＬＷ３は、第３ライン切り替えスイッチＬＳＷ３を介して、第２Ｗ相ラインＬＷ２と接続する。
【０１１１】
このときに、第２三相交流発電機のＲ相、Ｓ相、Ｔ相からのケーブルを、それぞれ第３Ｕ相端子Ｕ３、第３Ｖ相端子Ｖ３、第３Ｗ相端子Ｗ３に接続していると、第２三相交流発電機のＲ相からの電流が、直列に接続された第１抵抗器群Ｇ１の第１抵抗器Ｒ１と第４抵抗器Ｒ４に流れうる状態にされ、第２三相交流発電機のＳ相からの電流が、直列に接続された第１抵抗器群Ｇ１の第２抵抗器Ｒ２と第５抵抗器Ｒ５に流れうる状態にされ、第２三相交流発電機のＴ相からの電流が、直列に接続された第１抵抗器群Ｇ１の第３抵抗器Ｒ３と第６抵抗器Ｒ６に流れうる状態にされる（図２３参照）。
【０１１２】
ロータリースイッチ４１ａを第３回転位置Ｐ３に合わせ、第１操作スイッチＳ１がオン状態にされ、第２操作スイッチＳ２〜第１２操作スイッチＳ１２がオフ状態にされた場合には、第２短絡スイッチＳＳ２と、第３短絡スイッチＳＳ３と、第１抵抗器群Ｇ１の第１スイッチＳＷ１〜第６スイッチＳＷ６がオン状態にされ、他のスイッチはオフ状態にされる。
【０１１３】
第３Ｕ相ラインＬＵ３は、第１ライン切り替えスイッチＬＳＷ１を介して、第１Ｕ相ラインＬＵ１と接続し、第３Ｖ相ラインＬＶ３は、第２ライン切り替えスイッチＬＳＷ２を介して、第１Ｖ相ラインＬＶ１と接続し、第３Ｗ相ラインＬＷ３は、第３ライン切り替えスイッチＬＳＷ３を介して、第１Ｗ相ラインＬＷ１と接続する。
【０１１４】
このときに、第１直流電源（若しくは第１単相交流発電機）の一方の端子からのケーブルを、接続端子Ｍに接続し、第１直流電源（若しくは第１単相交流発電機）の他方の端子からのケーブルを、第３Ｕ相端子Ｕ３、第３Ｖ相端子Ｖ３、第３Ｗ相端子Ｗ３のいずれかに接続していると、第１直流電源（若しくは第１単相交流発電機）からの電流が、並列に接続された第１抵抗器群Ｇ１の第１抵抗器Ｒ１〜第６抵抗器Ｒ６に流れうる状態にされる（図２４参照）。
【０１１５】
ロータリースイッチ４１ａを第４回転位置Ｐ４に合わせ、第１操作スイッチＳ１がオン状態にされ、第２操作スイッチＳ２〜第１２操作スイッチＳ１２がオフ状態にされた場合には、第１短絡スイッチＳＳ１と、第１抵抗器群Ｇ１の第１スイッチＳＷ１〜第６スイッチＳＷ６がオン状態にされ、他のスイッチはオフ状態にされる。
【０１１６】
第３Ｕ相ラインＬＵ３は、第１ライン切り替えスイッチＬＳＷ１を介して、第２Ｕ相ラインＬＵ２と接続し、第３Ｖ相ラインＬＶ３は、第２ライン切り替えスイッチＬＳＷ２を介して、第２Ｖ相ラインＬＶ２と接続し、第３Ｗ相ラインＬＷ３は、第３ライン切り替えスイッチＬＳＷ３を介して、第２Ｗ相ラインＬＷ２と接続する。
【０１１７】
このときに、第２直流電源（若しくは第２単相交流発電機）の一方の端子からのケーブルを、接続端子Ｍに接続し、第２直流電源（若しくは第２単相交流発電機）の他方の端子からのケーブルを、第３Ｕ相端子Ｕ３、第３Ｖ相端子Ｖ３、第３Ｗ相端子Ｗ３のいずれかに接続していると、第２直流電源（若しくは第２単相交流発電機）からの電流が、第１抵抗器Ｒ１と第４抵抗器Ｒ４が直列に接続され、第２抵抗器Ｒ２と第５抵抗器Ｒ５が直列に接続され、第３抵抗器Ｒ３と第６抵抗器Ｒ６が直列に接続され、これらが並列に接続されたものに流れうる状態にされる（図２５参照）。
【０１１８】
第２実施形態では、端子部４３に設けられる端子の数を最小限にして、試験対象電源と負荷試験装置１との接続を容易にすることが可能になる。
【０１１９】
第１実施形態でも第２実施形態でも、抵抗器群それぞれの第１スイッチＳＷ１〜第６スイッチＳＷ６は、第１抵抗器Ｒ１〜第６抵抗器Ｒ６のいずれか一方に接続されるが、三相交流発電機を接続した場合の中性点に近い側、ここでは、第１抵抗器Ｒ１〜第６抵抗器Ｒ６の一方の端子に接続される形態が望ましい（図２６参照）。中性点側に近づけることで、遠ざけた場合に比べて、第１スイッチＳＷ１〜第６スイッチＳＷ６を壊れにくくすることが可能になる。特に、高電圧の電源（ここでは、第２三相交流発電機）の負荷試験を用いる際に、中性点に近い側に第１スイッチＳＷ１〜第６スイッチＳＷ６を設けられているのが望ましい。なお、この場合、第１直流電源や第２直流電源の負極は、接続端子Ｍに接続するのが望ましく、試験対象電源の負極に近づけることで、遠ざけた場合に比べて、第１スイッチＳＷ１〜第６スイッチＳＷ６を壊れにくくすることが可能になる。
【符号の説明】
【０１２０】
１  負荷試験装置
１０  フレーム
２０  抵抗部
３０  冷却部
４０  接続切り替え部
４１  操作部
４１ａ  ロータリースイッチ
４３  端子部
４４  表記部
４５（４５ａ〜４５ｇ）  点灯部４５（第１点灯部４５ａ〜第７点灯部４５ｇ）
Ｇ１〜Ｇ１２  第１抵抗器群〜第１２抵抗器群
ＬＳＷ１〜ＬＳＷ３  第１ライン切り替えスイッチ〜第３ライン切り替えスイッチ
ＬＵ１〜ＬＵ３  第１Ｕ相ライン〜第３Ｕ相ライン
ＬＶ１〜ＬＶ３  第１Ｖ相ライン〜第３Ｖ相ライン
ＬＷ１〜ＬＷ３  第１Ｗ相ライン〜第３Ｗ相ライン
Ｍ  接続端子
ＯＳＷ１〜ＯＳＷ３  第１オンオフスイッチ〜第３オンオフスイッチ
Ｐ１〜Ｐ５  第１回転位置〜第５回転位置
Ｒ１〜Ｒ６  抵抗器群それぞれの第１抵抗器〜第６抵抗器
Ｓ１〜Ｓ１２  第１操作スイッチ〜第１２操作スイッチ
ＳＳ１〜ＳＳ３  第１短絡スイッチ〜第３短絡スイッチ
ＳＷ１〜ＳＷ６  抵抗器群それぞれの第１スイッチ〜第６スイッチ
Ｕ１〜Ｕ３  第１Ｕ相端子〜第３Ｕ相端子
Ｖ１〜Ｖ３  第１Ｖ相端子〜第３Ｖ相端子
Ｗ１〜Ｗ３  第１Ｗ相端子〜第３Ｗ相端子
【要約】
【課題】  容易に配線切り替えが可能な負荷試験装置。
【解決手段】  第１抵抗器〜第６抵抗器を有する抵抗器群と、少なくとも第１回転位置〜第４回転位置の回転位置設定が可能なロータリースイッチを有する操作部とを備える。第１抵抗器の一方の端子と、第２抵抗器の一方の端子と、第３抵抗器の一方の端子は、接続され、第１抵抗器の他方の端子と、第４抵抗器の一方の端子とは、直列と並列の切り替えが可能な状態で接続され、第２抵抗器の他方の端子と、第５抵抗器の一方の端子とは、直列と並列の切り替えが可能な状態で接続され、第３抵抗器の他方の端子と、第６抵抗器の一方の端子とは、直列と並列の切り替えが可能な状態で接続され、負荷試験装置に、第１直流電源が接続され、ロータリースイッチの回転位置を第３回転位置に合わせた場合には、第１直流電源からの電流が、並列に接続された第１抵抗器〜第６抵抗器に流れうる状態にされる。
【選択図】図２【図１】
0005395316.tif 000002
【図２】
0005395316.tif 000003
【図３】
0005395316.tif 000004
【図４】
0005395316.tif 000005
【図５】
0005395316.tif 000006
【図６】
0005395316.tif 000007
【図７】
0005395316.tif 000008
【図８】
0005395316.tif 000009
【図９】
0005395316.tif 000010
【図１０】
0005395316.tif 000011
【図１１】
0005395316.tif 000012
【図１２】
0005395316.tif 000013
【図１３】
0005395316.tif 000014
【図１４】
0005395316.tif 000015
【図１５】
0005395316.tif 000016
【図１６】
0005395316.tif 000017
【図１７】
0005395316.tif 000018
【図１８】
0005395316.tif 000019
【図１９】
0005395316.tif 000020
【図２０】
0005395316.tif 000021
【図２１】
0005395316.tif 000022
【図２２】
0005395316.tif 000023
【図２３】
0005395316.tif 000024
【図２４】
0005395316.tif 000025
【図２５】
0005395316.tif 000026
【図２６】
0005395316.tif 000027